(57)【要約】【課題】車椅子のままの乗車を安全かつ容易に走行時の安定性を確保する装置で運転者へ操縦する楽しみを寄与し車椅子利用者の生活圏を広げる三輪スクーター及びバイクを、提供する。【解決手段】三輪スクーターの前部フレームと後部動力ユニットの間に電動式ラック＆ピニオン装置を取り付けて左右の傾斜を運転者の左側ボタンの操作により意図的に傾斜復元させられるようにする。前輪操舵部と後部動力ユニットの間に車椅子を縦方向に搭載できる左側（左側通行の場合）へ移動可能なスライドテーブルを取り付け、車椅子の横からの乗り込みを可能した。市販されている車輌を改造使用し安価に提供できる車輌である。    【選択図】  図１
2006158487.tif 000002
【特許請求の範囲】
【請求項１】
前輪一輪の操舵装置を有し左右に傾斜可能な前部フレーム部と原動機による駆動装置を備えた後輪左右二輪からなる後部フレーム部を連結する装置の上部に取付けられた動力装置により運転者が意図的に傾斜復元できることを特徴とした車椅子用自走三輪スクーター及びバイク
【請求項２】
前部一輪の操舵装置後方に車椅子が乗車可能な長さと幅を有するスライドテーブルが横方向に移動できる動力装置により横移動と車輌の傾斜の連動で車椅子利用者が動力により車椅子のまま乗車できることを特徴とする車椅子用自走三輪スクーター及びバイク
【請求項３】
車椅子下部に取付けられた固定用ディスクをスライドテーブルに設置されたワイヤー式のロック装置と油圧式のキャリパーにより圧着し車椅子と車輌を固定することを目的とした特徴とする車椅子用自走三輪スクーター及びバイク
【発明の詳細な説明】
【技術分野】
【０００１】
本発明は、車椅子のまま乗込み運転操作ができるようにした車椅子用自走三輪スクーター及びバイクに関するものである。
【背景技術】
【０００２】
従来の技術として車椅子用自走車として下記特許文献１・２などが既に知られており車輌後方からの車椅子の乗込みを行う為乗車時には安全を確認する事が容易であるが降車時には、後方の安全確認が車椅子利用者の場合不十分となり危険を伴う。スロープの角度が大きい場合乗車には相当な腕力を必要とし降車の場合スロープの角度が大きいと増速され危険である。又、スロープの角度を小さく設定するとスロープが長くなり搭載位置が制約され最低地上高が不足して走行性能に著しく影響を与える。本発明は車輌横方向からの乗車の為降車時の後方確認がしやすくより安全である。
【０００３】
第二の従来例は市販されている三輪スクーターは、前部フレーム部を傾斜させて旋回時の安定性を確保している為、低速走行時には揺動する場合がある。この為の技術として自動三輪車の自動自立装置として下記特許文献３などが既に知られている。本発明は前部フレーム部の傾斜を動力装置で制御するため自動自立装置を必要としない。
【０００４】
【特許文献１】特公平６−５９８５０
【特許文献２】特開平９−２９９４０７
【特許文献３】特開昭６０−１６９３８２
【発明の開示】
【発明が解決しようとする課題】
【０００５】
車椅子利用者が安全に乗降車でき停車時の占有面積が小さく時速３０ｋｍ程度の最高速度を有し、尚且つ旋回時には安定して走行でき低速走行時も揺動がなく路面が左側下がりでも直立させる事が出来、操縦を楽しめる車椅子用自走三輪スクーター及びバイクを低価格で提供する事が課題である。
【課題を解決するための手段】
【０００６】
上記課題を解決する為に市販されている三輪スクーターに下記解決手段の装置を取付けることが低価格で提供できる第一の手段である。市販されている三輪スクーターは非常に安全な乗り物であり多くの女性が清涼飲料水などのデリバリー用として日常的に使用されており国内法規上は原動機付自転車として扱われ時速３０ｋｍ程度の走行性能があり一般道路に於いて交通に著しい障害をあたえる事はなく又、耐久強度も十分であり車椅子用車輌のベースとして優れている。
【０００７】
解決手段の装置として車輌の横方向から移動するプレートに乗り車椅子を固定し傾斜した前部フレーム部に引き上げられ傾斜を復元する装置は車椅子利用者が安全に乗降車する為の第二の手段である。
【０００８】
傾斜を復元する装置を使用して中速走行時はコーナーリング時に乗車位置を運転者の操縦により傾斜させ安定性を確保し又、路肩走行での左側下がり走行でも操縦により直立状態を維持する。車椅子利用者は体重移動が不得手でありバランスを崩した場合などの復元が動力装置により可能となり得る。
【発明の効果】
【０００９】
本発明による効果は車椅子利用者の移動手段として活用されることを目的としており生活圏を広げ地域社会への進出を容易にするものである。従来では車椅子のみでの行動範囲と公共交通による駅バス停付近及び身障者用自動車駐車場を備えた郊外型スーパーなどへの移動しかできなかったが本発明が低価格で提供されれば多くの車椅子利用者にあらゆる場所への移動を可能とする。
【００１０】
車椅子利用者は通常乗り物を操作することはなく操縦する楽しみを味わえる本発明は自主性を伸ばし精神衛生上有意義である。又車椅子利用者は日常、前後方向上下方向の刺激しか受けられないが本発明は左右方向の傾斜による新しい刺激が得られる。
【００１１】
市街地の商店街には離れた所に駐車場がある場合が多く自動車から車椅子を降ろして商店の前に車椅子で行こうとしても段差などによりいけない場合がある。三輪スクーターにて商店の前に行けば希望の商品を手に入れたりウィンドショッピングを楽しめたり出来る。この場合一部地域には、スクーターや自転車が駐車違反の対象となる地域も存在するが自動車の駐車違反地域に比べるとほんの一部でしかない。
【００１２】
最近電動車椅子が多く走行しているがデパートの中や商店の中にはそのまま入る事が出来ない自走式車椅子であれば殆どのデパートや商店の中にそのまま入る事が出来る。購入したものを移し変える必要がなく近くの自転車やオートバイの駐車場から三輪スクーターに乗ればスムーズに買い物が出来る。
【００１３】
三輪スクーターは駐車場所が少なくてすむ為に障害者を受け入れようとする事業者が多く現れ車椅子利用者の職業選択の範囲が広がりより希望の職種に就きやすくなる。また三輪スクーターは多くの荷物を運べて安定しているので車椅子利用者が様々な事業を立ち上げる事が可能となる。例えば小荷物の配送、食品の配送、移動販売等である。
【００１４】
車椅子利用者にはオートバイによる不慮の事故により脊髄損傷等で下半身不随となり車椅子を利用している場合もある。その方々の中にはもう一度オートバイに乗りたい夢を持っているが現状では夢を叶えらず諦めるしかない本発明により以前のオートバイ仲間と一緒にツーリングできることが将来的に動力性能等向上すれば可能であるとの夢を与える事が出来る。又車椅子利用者が３輪スクーターで集まり一泊ツーリングに行くと受け入れる宿泊施設等もバリアフリー工事を施し新たな車椅子利用者を呼び込む相乗効果を生み出して各地にバリアフリーの施設がうまれ社会資本の充実をめざすことができる。
【００１５】
本発明は車椅子利用者に操縦させる楽しみを寄与するものであり国内法規上に於いては原動機付自転車の免許資格を最低限必要とするそこで車椅子利用者に自動車教習所に於いて一定時間の教習を受けさせ一般道路への乗り出しをスムーズかつ安全なものとし免許資格のない車椅子利用者には免許を取得させる自動車教習所は少子化により免許取得希望者が激減しており経営的に厳しい状況である。本教習によりわずかではあるが受講生が増える可能性がある。また障害者に優しい教習所としての社会的地位を確立できる。
【００１６】
また近年災害等で、ボランティア活動が盛んであるが車椅子利用者がボランティア活動に参加する事は不可能に近く活躍できる場所を与えられなかった。本発明を利用すれば、健常者の乗るオートバイと車椅子利用者の三輪スクーターでのコンビで非難物資等の輸送ができ障害者の社会貢献に役立つ可能性がある。
【００１７】
三輪スクーターは安定した乗り物であり転倒は一般的なオートバイに比べると非常に少ないが、万が一不慮の転倒時は傾斜ボタンを操作して後部フレーム部を反対方向に傾斜させる事により車体を起こし易くすることができる。
【発明を実施するための最良の形態】
【００１８】
最良の形態は市販されている三輪スクーターに下記内容を実施することが車輌を低価格で提供し安全で強度的にも優れたものとなり得る。次に本発明の実施の形態の一つを図面に従い説明する。
【実施例１】
【００１９】
図１は本発明の概要図であり各構成部品の位置関係を示す。車椅子利用者及びカバー類の図示は省略。市販されている三輪スクーターのシートを取り外し燃料タンク１３とバッテリー１２を後部フレーム部２上に移動させ、操舵装置８の後方フレーム下部に車椅子を搭載可能なスペースを設けその上に動力による横移動装置４を設置する横移動装置４上には車椅子を固定する為の車椅子固定装置５を備えハンドル中心下部の固定用レバー装置９を操作し車椅子を固定する。車椅子の固定位置は市販されている三輪スクーターのシート位置付近となり重心位置が変化しない様にする。
【００２０】
図３は傾斜装置の上面図であり傾斜装置の実施例を示す。前部フレーム部１と後部フレーム部２は連結装置７で連結され、進行方向に対して左右に傾斜することが可能であり左側ハンドル部傾斜スイッチ図２３  ５８によるスイッチ操作で傾斜用動力装置６のラックギヤー１８が左右に移動することにより運転者が、意図的に前部フレーム部１を傾斜操作できるようにする構成である。又図３は直進時の傾斜装置の関係図でもありラックギヤー１８は作動範囲の中心に位置する。図４は直進走行及び低速コーナーリング時の車輌の様子を示す、前部フレーム１は中立状態を保ち前部フレーム部とスライドロッド１９はロッド側ボールジョイント２０・ジョイントプレート２１・前部フレーム側ボールジョイント２２で接続される。ジョイントプレート２１とボールジョイント２０・２２の接続には、少量の遊びを設け後部フレーム部２内のサスペンションと共に路面のギャップを吸収する。低速走行約１５ｋｍ未満の場合はハンドル操作のみで左右のコーナーを旋回することが十分可能であり直進状態のまま走行できる。
【００２１】
車輌の速度が、約２０ｋｍ以上（以後中速走行時）になるとコーナーリング時、三輪スクーターの性質上コーナー内側後輪が浮き上がる力が作用し不安定となり前部フレーム部１を内側に傾斜させる事により車輌を安定させることが可能である。中速走行時の右コーナーリング時は、左ハンドル部傾斜スイッチ図２３  ５８を右へ操作してＤＣモーター付ラック＆ピニオンギヤーＢＯＸ１７を駆動させラックギヤー１８を作動範囲右側に移動させ接続されたジョイントプレート２１により前部フレーム１を右側に傾け図５・図６、脱出時には、左ハンドル部傾斜スイッチ図２３  ５８を左へ操作して復元する。左コーナーに於いても上記操作と反対の操作を行い安定した中速走行を可能にする図７・図８。Ｓ字コーナーに於いては左ハンドル部傾斜スイッチ図２３  ５８を左右へ連続的に操作する。    
【００２２】
国内の道路事情に於いて、三輪スクーターが走行する路面は、かまぼこ状で左端下がりの場合が想定される、この場合にも左ハンドル部傾斜スイッチ図２３  ５８を右へ操作して直立状態を保つ事が可能である。
【００２３】
図９は、横移動装置の斜視図である。図１０は移動部分ａ部の拡大図である。横移動装置は動力となるウォームギヤー減速機付モーター２９と横移動駆動シャフト３８により連結された前後一対の横移動用ピニオンギヤー３０を備えた、スライドテーブル２７と接続されたスライドプレート２８及び前後一対の横移動ガイド３９・ガイド上の横移動ラックギヤー３１にて構成される。スライドプレート２８は左端の前後に移動用接地ローラー３２を取り付け車椅子利用者が車椅子に乗ったままの状態での横移動を円滑なものとする。スライドプレート２８の上部には車椅子固定装置５を左右２個設置し常時使用する車椅子下部フレーム図１９  ４３に取付けられた車椅子固定側ディスク図１９  ４６の左右の幅に合致させる。横移動ガイド３９は、スライドテーブル２７の前後にコの字断面の開口部を向い合せにてアンダーフレーム３４に固定し内部をスライドテーブル２７に取付けられた横移動ガイドローラー４０が移動する。前後横移動ガイド上部には、ラックギヤー３１を取り付け、ウォームギヤー減速機付モーター２９から横移動駆動シャフト３８により回転させられた、横移動用ピニオンギヤー３０により横方向に移動する。前側の横移動ガイド３９には、走行中にスライドプレート２８が移動又は浮き上がりを防ぐ為のワイヤーによるストッパーピンを備えた走行時移動防止装置３３を取付ける。
【００２４】
図１１は車椅子乗車時にスライドプレート２８が接地している図で前部フレーム部２が左に最大に傾斜しスライドテーブルも左端に移動した状態でありスライドプレート２８への車椅子利用者２６が自走式車椅子３に乗ったままの乗車を平易なものとしている。図１５は乗車前の車輌と車椅子の位置関係を表示し後方からスライドプレート２８に乗り込む様子である。図１６はスライドプレート２８に車椅子利用者２６が自走式車椅子３に乗ったまま乗車した図である。
【００２５】
図１２は自走式車椅子３がスライドプレート２８に固定された後、ウォームギヤー減速機付モーター２９により、右側へスライドテーブル２７及びスライドプレート２８が移動する途中の図である。スライドテーブル２７とスライドプレート２８の角度変化を表示したものである。スライドテーブル２７とスライドプレート２８は取付け角度が自在になるようにスライドテーブル・スライドプレートジョイント４１にて接続されスライドテーブル２７の位置による角度変化に対応する。図１３はスライドテーブル２７が右側に移動した図であり図１７は車椅子が右側に引き上げられた車輌の図である。図１４図は前部フレーム部の傾斜を直立状態に復元した横移動装置４で図１８は傾斜復元した時の車輌の図であり走行準備状態である。
【００２６】
図１９は車椅子固定装置５の側面図である。スライドプレート２８に取付けられた油圧キャリパー５１と車椅子側に取付けられた車椅子側固定ディスク４６とで構成され左右一組ずつ設置される。油圧キャリパー５１の上部にはワイヤー式ロック装置４９を備え車椅子側固定ディスク４６のワイヤーロック用ホール４４にワイヤー式ロック装置爪部５０が入ることによりロックされる。車輌に於いて車椅子は後方から乗り込み図１９では右から左へ車椅子側固定ディスク４６が移動しガイドディスク４７がガイドプレート５２に従い油圧キャリパー５１内に、車椅子側固定ディスク４６を挟み込み操舵装置８下部に取付けられた固定用レバー装置９の油圧シリンダー５４のロック式油圧レバー図２２  ５５を操作して油圧キャリパー５１に油圧をかけ車椅子側固定ディスク４６を圧着し車椅子と車輌をさらに一体化させる。図２０は固定前、図２１は固定後の装置後方からの斜視図である。
【００２７】
図２２は固定装置操作部９の斜視図である。走行中は操作することは無い為操舵部８下部のフレームに取付けられる。オイルタンク５３を備えた油圧シリンダー５４のピストンをロック式油圧レバー５５にて押し込み固定装置５に油圧をかける。ロック式油圧レバー５５は押し込み位置で固定できるようになっており走行中の車椅子を車輌と一体化させる。ロック式油圧レバー５５の左側には固定装置ワイヤーロック解除レバー５６を取り付け油圧レバー解除後に固定装置ワイヤーロック解除レバー５６を操作して車輌から車椅子を分離させることができる。油圧シリンダー５４右側の走行時移動防止装置解除レバー５７は、車輌走行中はロック位置にありスライドプレート２８を横方向に移動するときにはワイヤーを引き上げ解除状態とする。
【００２８】
図２３はハンドル左側の傾斜スイッチ・横移動スイッチの位置関係を示す。図２４は車椅子利用者の乗車から降車までのフローチャートである。
【図面の簡単な説明】
【００２９】
【図１】車椅子用自走三輪スクーター概要斜視図
【図２】車椅子用自走三輪スクーター側面図
【図３】傾斜装置の上面図であり直進又は低速コーナーリング時の位置関係を示す
【図４】車輌直進時及び低速コーナーリング時前部フレーム直立状態図
【図５】中速右コーナーリング走行時傾斜装置関係図
【図６】中速右コーナーリング走行時前部フレーム右傾斜状態図
【図７】中速左コーナーリング走行時傾斜装置関係図
【図８】中速左コーナーリング走行時前部フレーム左傾斜状態図
【図９】横移動装置斜視図
【図１０】ａ部拡大図
【図１１】車椅子乗車時プレート接地図
【図１２】横移動プレート途中図
【図１３】移動終了時プレート図
【図１４】傾斜復元走行時プレート図
【図１５】車椅子乗車時プレート接地車輌全体図
【図１６】車椅子固定時車輌全体図
【図１７】プレート引き上げ完了時車輌全体図
【図１８】傾斜復元走行時車輌全体図
【図１９】車椅子固定装置側面図
【図２０】固定装置固定前斜視図
【図２１】固定装置固定後斜視図
【図２２】固定装置操作部斜視図
【図２３】左ハンドル側傾斜・横移動装置操作部
【図２４】車椅子利用者の乗車から降車までのフローチャート
【符号の説明】
【００３０】
１前部フレーム部
２後部フレーム部
３自走式車椅子
４横移動装置
５車椅子固定装置
６傾斜用動力装置
７連結装置
８操舵装置
９固定用レバー装置
１０転倒保護ローラー
１１原動機及び駆動装置
１２バッテリー
１３燃料タンク
１４電源スイッチサブキー
１５後部傾斜スイッチ（正逆切り替えタイプ）
１６後部横移動スイッチ（正逆切り替えタイプ）
１７ＤＣモーター付ラック＆ピニオンギヤーＢＯＸ
１８ラックギヤー
１９スライドロッド
２０ロッド側ボールジョイント
２１ジョイントプレート
２２前部フレーム側ボールジョイント
２３走行時右傾斜リミットスイッチ（明示的表示）
２４走行時左傾斜リミットスイッチ（明示的表示）
２５乗降車時左傾斜リミットスイッチ（明示的表示）
２６車椅子利用者
２７スライドテーブル
２８スライドプレート
２９ウォームギヤー減速機付ＤＣモーター
３０横移動用ピニオンギヤー
３１横移動用ラックギヤー
３２移動用接地ローラー
３３走行時移動防止装置
３４アンダーフレーム
３５走行時移動防止装置用ワイヤー
３６固定装置解除ワイヤー
３７固定用油圧ホース
３８横移動駆動シャフト
３９横移動ガイド
４０横移動ガイドローラー
４１スライドテーブル・スライドプレートジョイント
４２プレート側移動防止装置
４３車椅子下部フレーム
４４ワイヤーロック用ホール
４５固定ディスク取り付けホルダー
４６車椅子側固定ディスク
４７ガイドディスク
４８ロック解除ワイヤー
４９ワイヤー式ロック装置
５０ワイヤー式ロック装置爪部
５１油圧キャリパー
５２ガイドプレート
５３油圧シリンダーオイルタンク
５４油圧シリンダー
５５ロック式油圧レバー
５６固定装置ワイヤーロック解除レバー
５７走行時移動防止装置解除レバー
５８傾斜スイッチ（正逆切り替えタイプ）
５９横移動スイッチ（正逆切り替えタイプ）
６０ステアリングハンドル
６１左側グリップ
【図１】
2006158487.tif 000003
【図２】
2006158487.tif 000004
【図３】
2006158487.tif 000005
【図４】
2006158487.tif 000006
【図５】
2006158487.tif 000007
【図６】
2006158487.tif 000008
【図７】
2006158487.tif 000009
【図８】
2006158487.tif 000010
【図９】
2006158487.tif 000011
【図１０】
2006158487.tif 000012
【図１１】
2006158487.tif 000013
【図１２】
2006158487.tif 000014
【図１３】
2006158487.tif 000015
【図１４】
2006158487.tif 000016
【図１５】
2006158487.tif 000017
【図１６】
2006158487.tif 000018
【図１７】
2006158487.tif 000019
【図１８】
2006158487.tif 000020
【図１９】
2006158487.tif 000021
【図２０】
2006158487.tif 000022
【図２１】
2006158487.tif 000023
【図２２】
2006158487.tif 000024
【図２３】
2006158487.tif 000025
【図２４】
2006158487.tif 000026
【手続補正書】
【提出日】平成17年6月17日(2005.6.17)
【手続補正１】
【補正対象書類名】特許請求の範囲
【補正対象項目名】全文
【補正方法】変更
【補正の内容】
【特許請求の範囲】
【請求項１】
前輪一輪の操舵装置を有した前部フレーム部と、原動機による駆動装置を備えた後輪左右二輪からなる後部フレーム部とを、左右に傾斜する連結装置により連結させ、後部フレーム部に取り付けられた傾斜用動力装置により、前部フレーム部を運転者が意図的に傾斜復元させられることを特徴とした、車椅子用自走三輪スクーター及びバイク。
【請求項２】
前部フレーム部の操舵装置後方に車椅子が乗車可能な長さと幅を有するスライドテーブルと、ウォームギヤー減速機付ＤＣモーターに接続された横移動用ピニオンギヤーを有するスライドプレートとを回動可能に接続し、前部フレーム部に固定された前後一対の横移動用ラックギヤー上を該モーターによりスライドプレート及びスライドテーブルが横移動する横移動装置を設置して、当該傾斜用動力装置により前部フレーム部を傾斜して、移動用接地ローラーを接地させ横移動装置によりスライドテーブルを横移動させて、スライドプレートを水平にして車椅子のまま乗車できることを特徴とする、車椅子用自走三輪スクーター及びバイク。
【手続補正３】
【補正対象書類名】明細書
【補正対象項目名】０００２
【補正方法】変更
【補正の内容】
【０００２】
従来の技術として車椅子用自走車として下記特許文献１・２などが既に知られており車輌後方からの車椅子の乗込みを行う為乗車時には安全を確認することが容易であるが降車時には、後方の安全確認が車椅子利用者の場合不十分となり危険を伴う。スロープの角度が大きい場合乗車には相当な腕力を必要とし降車の場合スロープの角度が大きいと増速され危険である。又、スロープの角度を小さく設定するとスロープが長くなり搭載位置が制約され最低地上高が不足して走行性能に著しく影響を与える。本発明は車輌横方向からの乗車の為に降車時の後方確認がしやすくより安全である。
【手続補正４】
【補正対象書類名】明細書
【補正対象項目名】０００５
【補正方法】変更
【補正の内容】
【０００５】
車椅子利用者が安全に乗降車でき停車時の占有面積が小さく時速３０ｋｍ程度の最高速度を有し、尚且つ旋回時には安定して走行でき低速走行時も揺動がなく路面が左側下がりでも直立させることが出来、操縦を楽しめる車椅子用自走三輪スクーター及びバイクを低価格で提供することが課題である。
【手続補正５】
【補正対象書類名】明細書
【補正対象項目名】００１２
【補正方法】変更
【補正の内容】
【００１２】
最近電動車椅子が多く走行しているがデパートの中や商店の中にはそのまま入ることが出来ない自走式車椅子であれば殆どのデパートや商店の中にそのまま入ることが出来る。購入したものを移し変える必要がなく近くの自転車やオートバイの駐車場から三輪スクーターに乗ればスムーズに買い物が出来る。
【手続補正６】
【補正対象書類名】明細書
【補正対象項目名】００１３
【補正方法】変更
【補正の内容】
【００１３】
三輪スクーターは駐車場所が少なくてすむ為に障害者を受け入れようとする事業者が多く現れ車椅子利用者の職業選択の範囲が広がりより希望の職種に就きやすくなる。また三輪スクーターは多くの荷物を運べて安定しているので車椅子利用者が様々な事業を立ち上げることが可能となる。例えば小荷物の配送、食品の配送、移動販売等である。
【手続補正７】
【補正対象書類名】明細書
【補正対象項目名】００１４
【補正方法】変更
【補正の内容】
【００１４】
車椅子利用者にはオートバイによる不慮の事故により脊髄損傷等で下半身不随となり車椅子を利用している場合もある。その方々の中にはもう一度オートバイに乗りたい夢を持っているが現状では夢を叶えらず諦めるしかない本発明により以前のオートバイ仲間と一緒にツーリングできることが将来的に動力性能等向上すれば可能であるとの夢を与えることが出来る。又車椅子利用者が３輪スクーターで集まり一泊ツーリングに行くと受け入れる宿泊施設等もバリアフリー工事を施し新たな車椅子利用者を呼び込む相乗効果を生み出して各地にバリアフリーの施設がうまれ社会資本の充実をめざすことができる。
【手続補正８】
【補正対象書類名】明細書
【補正対象項目名】００１５
【補正方法】変更
【補正の内容】
【００１５】
本発明は車椅子利用者に操縦させる楽しみを寄与するものであり国内法規上においては原動機付自転車の免許資格を最低限必要とするそこで車椅子利用者に自動車教習所において一定時間の教習を受けさせ一般道路への乗り出しをスムーズかつ安全なものとし免許資格のない車椅子利用者には免許を取得させる自動車教習所は少子化により免許取得希望者が激減しており経営的に厳しい状況である。本教習によりわずかではあるが受講生が増える可能性がある。また障害者に優しい教習所としての社会的地位を確立できる。
【手続補正９】
【補正対象書類名】明細書
【補正対象項目名】００１６
【補正方法】変更
【補正の内容】
【００１６】
また近年災害等で、ボランティア活動が盛んであるが車椅子利用者がボランティア活動に参加することは不可能に近く活躍できる場所を与えられなかった。本発明を利用すれば、健常者の乗るオートバイと車椅子利用者の三輪スクーターでのコンビで非難物資等の輸送ができ障害者の社会貢献に役立つ可能性がある。
【手続補正１０】
【補正対象書類名】明細書
【補正対象項目名】００１７
【補正方法】変更
【補正の内容】
【００１７】
三輪スクーターは安定した乗り物であり転倒は一般的なオートバイに比べると非常に少ないが、万が一不慮の転倒時は傾斜ボタンを操作して後部フレーム部を反対方向に傾斜させることにより車体を起こしやすくすることができる。
【手続補正１１】
【補正対象書類名】明細書
【補正対象項目名】００１９
【補正方法】変更
【補正の内容】
【００１９】
図１は本発明の概要図であり各構成部品の位置関係を示す。車椅子利用者及びカバー類の図示は省略又、三輪スクーターに本来装備されているメインスイッチ・前後サスペンション・ハンドル右側スイッチ等は省略。市販されている三輪スクーターの前部フレーム部１からシートを取り外し燃料タンク１３とバッテリー１２を後部フレーム部２上に移動させ、操舵装置８の後方に車椅子を搭載可能なスペースを設けその上に動力による横移動装置４を設置する。横移動装置４上には、自走式車椅子３を固定する為の車椅子固定装置５を備え、ハンドル中心下部の固定用レバー装置９を操作し自走式車椅子３を固定する。車椅子の固定位置は、市販されている三輪スクーターのシート位置付近となり重心位置が変化しない様にする。前部フレーム部１は、操舵装置８と自走式車椅子３を積載可能な横移動装置４を有し、横移動装置４の左右前方下部に転倒保護ローラー１０を、転倒防止及び移動装置保護のために取付ける。後部フレーム部２には車輌を推進するための原動機及び駆動装置１１と、前部フレーム部１を傾斜させるための傾斜用動力装置６を有する。又後部フレーム部２には、車椅子利用者２３（図１５参照）が乗車前に操作しやすいように電源スイッチサブキー１４、後部傾斜スイッチ１５、後部横移動スイッチ１６を設置する。前部フレーム部１と後部フレーム部２は、前部フレーム部１後方下部に取り付けられた連結装置７によって接続される。図２は概要図の側面図である。
【手続補正１２】
【補正対象書類名】明細書
【補正対象項目名】００２０
【補正方法】変更
【補正の内容】
【００２０】
図３は傾斜用動力装置６の斜視図であり傾斜装置の実施例を示す。前部フレーム部１の後方下側に取付けられた連結装置７と、後部フレーム部２は、進行方向に設けられた円筒状の連結装置７と後部フレーム部２の前部円柱部分が嵌合し、進行方向に対して横方向の左右に傾斜することが可能なように連結される。横方向の左右に傾斜する場合は、この連結部分が中心となり支点となる。左右への傾斜は、後部フレーム部２に取付けられたＤＣモーター付ラック＆ピニオンギヤーＢＯＸ１７のラックギヤー１８を、ＤＣモーターへの電力により左右に動かすことにより、ラックギヤー１８に取付けられたロッド側ボールジョイント２０を有するスライドロッド１９が左右に動き、ロッド側ボールジョイント２０と前部フレーム部１の後方上面に取付けられた前部フレーム側ボールジョイント２２は、ジョイントプレート２１により接続されているので、ラックギヤー１８の左右への動力は、前部フレーム側ボールジョイント２２に伝達され力点となる。平坦な一般道においては、後部フレーム部２にはトレッド幅を有する左右のタイヤがあるために、一輪のタイヤの前部フレーム部１が傾斜する。万が一の転倒時においては、後部フレーム部２が傾斜する場合もあり車輌を容易に起こすことが可能となる。傾斜装置はハンドル左側の傾斜スイッチ５５（図２３参照）によるスイッチ操作で運転者が、意図的に前部フレーム部１を操作でき又、乗降車時には後部傾斜スイッチ１５（図１参照）により操作される。ＤＣモーター付ラック＆ピニオンギヤーＢＯＸ１７としては市販されているものとして軽自動車用の電動パワーステアリングなどが、補修部品として販売されている。図３は直立状態の傾斜装置の斜視図であり、図４は車輌の直進時及び低速コーナーリング時における前部フレーム直立状態図であり、傾斜スイッチ５５（図２３参照）がＯＦＦの状態でＤＣモーターへの電力が供給されず、ラックギヤー１８が動かず作動範囲の中心に位置する、前部フレーム側ボールジョイント２２への動力も働かずに、前部フレーム部１は直立状態となる。前部フレーム部１が直立状態になる場合としては駐停車時、直進時、０ｋｍから２０ｋｍまでの低速走行コーナーリング時などである。ラックギヤー１８により前部フレーム部１が保持される為に、直立状態を保ち車椅子利用者２３が足つきをしないで信号待ちが出来る。ジョイントプレート２１とロッド側ボールジョイント２０・前部フレーム側ボールジョイント２２の接続には、少量の遊びを設け車輌前後のサスペンションと共に、路面のギャップを吸収する。
【手続補正１３】
【補正対象書類名】明細書
【補正対象項目名】００２１
【補正方法】変更
【補正の内容】
【００２１】
車輌の速度が、約２０ｋｍ以上（以後中速走行時）になるとコーナーリング時、三輪スクーターの性質上コーナー内側後輪が浮き上がる力が作用し、不安定となり前部フレーム部１を、内側に傾斜させる事により車輌を安定させることが可能である。図５は中速右コーナーリング走行時の傾斜装置の関係斜視図であり、中速走行時の右コーナーリング時の、ハンドル左側の傾斜スイッチ５５（図２３参照）を右へ操作して電力を供給してＤＣモーター付ラック＆ピニオンギヤーＢＯＸ１７により、ラックギヤー１８が作動範囲右側に移動し、接続されたジョイントプレート２１が前部フレーム側ボールジョイント２２を右に動かし、連結装置７と後部フレーム部２の連結部分が、支点となり前部フレーム１は右側に傾き中速走行時の右コーナーリングを安定して行うことが出来る。図６は、中速右コーナーリング走行時前部フレーム右傾斜状態図である。コーナーリング脱出時には、ハンドル左側傾斜スイッチ５５（図２３参照）を左へ操作して上記とは逆の電力を供給してＤＣモーター付ラック＆ピニオンギヤーＢＯＸ１７により、ラックギヤー１８が作動範囲中央に移動し、接続されたジョイントプレート２１が前部フレーム側ボールジョイント２２を作動範囲中央に動かし、連結装置７と後部フレーム部２の連結部分が、支点となり前部フレーム部１は中央へ復元する。左コーナーに於いても上記操作と反対の操作を行い安定した中速走行を可能にする。図７は中速左コーナーリング走行時傾斜装置関係斜視図であり、図８は中速左コーナーリング走行時前部フレーム左傾斜状態図である。Ｓ字コーナーにおいては、左側傾斜スイッチ５５（図２３参照）を左右へ連続的に操作上記傾斜を繰り返す。    
【手続補正１４】
【補正対象書類名】明細書
【補正対象項目名】００２２
【補正方法】変更
【補正の内容】
【００２２】
国内の道路事情において、三輪スクーターが走行する路面は、かまぼこ状で左端下がりの場合が想定される、この場合にもハンドル左側の傾斜スイッチ５５（図２３参照）を右へ操作して直立状態を保つことが可能である。
【手続補正１５】
【補正対象書類名】明細書
【補正対象項目名】００２３
【補正方法】変更
【補正の内容】
【００２３】
図９は、横移動装置４（図１参照）の斜視図である。図１０は移動部分ａ部の拡大図である。横移動装置は、動力となるウォームギヤー減速機付ＤＣモーター２６と横移動駆動シャフト３５（図１０参照）により連結された前後一対の横移動用ピニオンギヤー２７を備えたスライドプレート２４と、スライドテーブル・スライドプレートジョイント３８（図１０参照）により角度が自在になるよう連結されたスライドテーブル２５、及び前後一対で前部フレーム部１のアンダーフレーム３１に取付けられた横移動ガイド３６と、ガイド上の横移動ラックギヤー２８にて構成される。スライドテーブル２５の左端の前後には移動用接地ローラー２９が、取付けられ接地した後に地面上を転がりスライドテーブル２５を円滑に横移動させる。またスライドテーブル２５の左端前方には、プレート側移動防止装置３９（図１１参照）をとりつけ、前側の横移動ガイド３６左端に取付けられた走行時移動防止装置３０から突出した走行時移動防止装置用ワイヤー３２の先端が、プレート側移動防止装置３９（図１１参照）に嵌り込み固定し走行時の浮き上がりを防止する。スライドテーブル２５の上面には、車椅子固定装置５が左右一対で車椅子下部フレーム４０（図２０参照）の幅で設置され、左右の装置から固定装置操作ワイヤー３３と固定用油圧ホース３４が、固定用レバー装置９（図1参照）の固定装置ワイヤーロックレバー５３（図２３参照）及び油圧シリンダー５１（図２３参照）に接続される。前述の走行時移動防止装置用ワイヤー３２も同様に走行時移動防止装置レバー５４（図２３参照）に接続される。横移動ガイド３６は、スライドプレート２４の前後にコの字断面の開口部を向い合せにてアンダーフレーム３１に固定し、内部をスライドプレート２４に取付けられた横移動ガイドローラー３７が移動する。前後横移動ガイド上部には、横移動用ラックギヤー２８を取り付け、ウォームギヤー減速機付ＤＣモーター２６から横移動駆動シャフト３５により回転させられた、横移動用ピニオンギヤー２７により横方向に移動する。
【手続補正１６】
【補正対象書類名】明細書
【補正対象項目名】００２４
【補正方法】変更
【補正の内容】
【００２４】
図１１はスライドテーブル２５が接地している横移動装置斜視図で、前部フレーム部１が左に最大に傾斜しスライドプレート２４も左端に移動した状態であり、スライドテーブル２５への車椅子利用者２３（図１５参照）が自走式車椅子３（図１５参照）に乗ったままの乗車を、平易なものとしている。図１５は乗車前の車輌と車椅子の位置関係を表示し、後方からスライドテーブル２５に乗り込む様子である。図１６はスライドテーブル２５に車椅子利用者２３が自走式車椅子３に乗ったまま乗車した図である。図１５及び図１６は共に横移動装置はスライドテーブル２５が接地している図１１の状態となる。
【手続補正１７】
【補正対象書類名】明細書
【補正対象項目名】００２５
【補正方法】変更
【補正の内容】
【００２５】
図１２は前部フレーム部１が左に最大に傾斜し、スライドテーブル２５が接地している状態の図１１から右に少し移動した横移動の途中の状態における横移動装置斜視図である。スライドテーブル２５は左端にある移動用接地ローラー２９が地面上を転がり、右端はスライドテーブル・スライドプレートジョイント３８（図１０参照）を介して、スライドプレート２４に連結され、ウォームギヤー減速機付ＤＣモーター２６にハンドル左側横移動スイッチ５６（図２３参照）又は後部横移動スイッチ１６（図１参照）より電力が供給されると、横移動駆動シャフト３５（図１０参照）が回転し、両端の横移動用ピニオンギヤー２７（図１０参照）がアンダーフレーム３１に取付けられた横移動ガイド３６の上部の横移動用ラックギヤー２８上を移動し、横移動ガイドローラー３７の案内によりスライドプレート２４が横移動し連結されたスライドテーブル２５が移動する。左端の移動用接地ローラー２９とスライドプレート２４の位置によりスライドテーブル２５の角度は変化し、スライドプレート２４が右端に位置する時が最大に左端に位置する時は最小となる。図１３は前部フレーム部１が左に最大に傾斜し、スライドプレート２４が右端の位置となり、スライドテーブル２５が通常時の位置に戻った状態の横移動装置斜視図であり、車椅子利用者２３が乗車していると図１７のような車輌全体図となる。図１４図は前部フレーム部１の傾斜を直立状態に復元した状態の横移動装置斜視図で、車椅子利用者２３が乗車していると図１８のような車輌全体図となる。この状態は走行時、停車時、乗車完了時などである。
【手続補正１８】
【補正対象書類名】明細書
【補正対象項目名】００２６
【補正方法】変更
【補正の内容】
【００２６】
図１９は車椅子固定装置５（図１参照）の側面図である。スライドテーブル２５に取付けられた油圧キャリパー４８と、車椅子下部フレーム４０に固定ディスク取り付けホルダー４２により取付けられた車椅子側固定ディスク４３とで、構成され左右一組ずつ設置される。油圧キャリパー４８の上部にはワイヤー式ロック装置４６を備え、車椅子側固定ディスク４３のワイヤーロック用ホール４１にワイヤー式ロック装置爪部４７が入ることによりロックされ仮固定される。解除は固定用レバー装置９（図２２参照）の固定装置ワイヤーロックレバー５３（図２２参照）を操作し、固定装置操作ワイヤー３３（図２２参照）の先端のロック解除ワイヤー部４５を作動させ、ワイヤー式ロック装置爪部４７を解除する。当該車輌において自走式車椅子は、後方から乗り込み図１９では、右から左へ車椅子側固定ディスク４３が移動し、ガイドディスク４４がガイドプレート４９に従い、油圧キャリパー４８内側に車椅子側固定ディスク４３を挟み込み、操舵装置８（図１参照）下部に取付けられた固定用レバー装置９の油圧シリンダー５１（図２２参照）のロック式油圧レバー５２（図２２参照）を、操作して油圧キャリパー４８に油圧シリンダーオイルタンク５０（図２２参照）からの油圧により車椅子側固定ディスク４３を圧着し車椅子と車輌をさらに一体化させる。図２０は固定前、図２１は固定後の装置後方からの斜視図である。
【手続補正１９】
【補正対象書類名】明細書
【補正対象項目名】００２７
【補正方法】変更
【補正の内容】
【００２７】
図２２は固定装置操作部９（図１参照）の斜視図である。走行中は操作することは無いために、操舵部８（図１参照）下部のフレームに取付けられる。油圧シリンダーオイルタンク５０を備えた油圧シリンダー５１を、ロック式油圧レバー５２にて操作し、固定装置５（図１参照）に油圧をかける。ロック式油圧レバー５２は、押し込み位置で固定できるようになっており走行中の車椅子を車輌と一体化させる。ロック式油圧レバー５２の左側には、固定装置ワイヤーロックレバー５３を取り付け、油圧レバー解除後に固定装置ワイヤーロックレバー５３を操作して車輌から車椅子を分離させる。油圧シリンダー５１右側の走行時移動防止装置レバー５４は、車輌走行中はロック位置にあり、スライドテーブル２５を横方向に移動するときにはワイヤーを引き上げ解除状態とする。図２３はハンドル左側の傾斜・横移動装置の操作部の図であり、中立位置のある正逆切替タイプの傾斜スイッチ５５・横移動スイッチ５６が、ステアリングハンドル５７の左側の左側グリップ５８横に配置される。
【手続補正２０】
【補正対象書類名】明細書
【補正対象項目名】００２８
【補正方法】変更
【補正の内容】
【００２８】
図２４は車椅子利用者の乗車から降車までのフローチャートである。車椅子利用者が車輌のどこの位置に配車して乗車し、駐車場に収納するまでは、概ね下記通りである。車椅子利用者２３が、自走式車椅子３を後部フレーム部左横に止めて（図１５参照）、電源スイッチサブキー１４（図１参照）をＯＮにして後部傾斜スイッチ１５（図１参照）を左へＯＮし前部フレーム部１を左に傾斜させ、後部横移動スイッチ１６（図１参照）を左にＯＮしスライドプレート２４が左に横移動しスライドテーブル２５が接地し、車椅子前面まで概ね水平状態に張り出したテーブル後方から車椅子のまま乗り込み（図１６参照）、車椅子側固定ディスク４３を車椅子固定装置のガイドプレート４９の案内で油圧キャリパー４８に差込み（図２０参照）、ワイヤー式ロック装置爪部４７がワイヤーロック用ホール４１に入り車椅子を仮固定、ロック式油圧レバー５２（図２２参照）を操作して加圧し油圧キャリパー４８で車椅子側固定ディスク４３を固定しレバーをロックする（図２１参照）。ハンドル左側の横移動スイッチ５６を、右へＯＮしスライドテーブル及び車椅子が右へ移動し前部フレーム部中央へ引き上げ、左ハンドル部の傾斜スイッチを、右へＯＮし前部フレーム部を直立状態（図１８参照）にして走行時移動防止装置レバー５４（図２２参照）によりスライドテーブル２５を固定する（図１７参照）。メインスイッチをＯＮにしエンジン始動後、後方安全確認して走行開始０ｋｍ〜２０ｋｍまでの低速走行時には路面状況に応じ傾斜スイッチ５５にて直立を保持し（図４参照）、ハンドル操作によるコーナーリングが行われる。２０ｋｍ〜３０ｋｍまでの中速走行時には、ハンドル操作＋曲がる方向への傾斜装置の操作によるコーナーリングが行われる（図６参照）（図８参照）。目的地到着、駐車場では車椅子のまま降車できるように、左側の車輌とのスペースを確保して駐車する。メインスイッチをＯＦＦにしエンジン停止。左後方の安全を確認し走行時移動防止装置レバー５４（図２２参照）を操作して解除し、ハンドル部傾斜スイッチ５５左へＯＮして前部フレーム部１を左に傾斜させ、移動用接地ローラー２９を地面に接地させる。（図１７参照）横移動スイッチ５６を左にＯＮしてテーブルと車椅子が左に移動し接地し概ね水平位置になるところまで移動する（図１６参照）。ロック式油圧レバー５２のロックを解除して、車椅子側固定ディスク４３と油圧キャリパー４８を分離させる。（図２０参照）固定装置ワイヤーロックレバー５３を操作して、キャリパーからディスクを引離す。車椅子に乗ったまま後ろに下がり、スライドテーブルから降り降車する。（図１６参照）短時間の駐車の場合や他者の通行の妨げにならない場合、スライドテーブルは接地した状態のままにし、長時間駐車する場合や他者への通行の妨げになる場合は、スライドテーブル２５を収納するため後部横移動スイッチ１６を右にＯＮしてスライドテーブル２５を引き上げる。後部傾斜スイッチ１５を右にＯＮして、前部フレーム部１を左へ傾斜した状態から直立状態に復元させる。（図１参照）電源スイッチサブキー１４を、ＯＦＦにして車輌から離れる。
【手続補正２１】
【補正対象書類名】明細書
【補正対象項目名】００２９
【補正方法】変更
【補正の内容】
【００２９】
【図１】車椅子用自走三輪スクーター概要斜視図
【図２】車椅子用自走三輪スクーター側面図
【図３】傾斜装置の斜視図及び直進又は低速コーナーリング時位置関係図
【図４】車輌直進時及び低速コーナーリング時前部フレーム直立状態図
【図５】中速右コーナーリング走行時傾斜装置関係斜視図
【図６】中速右コーナーリング走行時前部フレーム右傾斜状態図
【図７】中速左コーナーリング走行時傾斜装置関係斜視図
【図８】中速左コーナーリング走行時前部フレーム左傾斜状態図
【図９】横移動装置斜視図
【図１０】ａ部拡大図
【図１１】車椅子乗車時テーブル接地図
【図１２】横移動テーブル途中図
【図１３】移動終了時テーブル図
【図１４】傾斜復元走行時テーブル図
【図１５】車椅子乗車時テーブル接地車輌全体図
【図１６】車椅子固定時車輌全体図
【図１７】テーブル引き上げ完了時車輌全体図
【図１８】傾斜復元走行時車輌全体図
【図１９】車椅子固定装置側面図
【図２０】固定装置固定前斜視図
【図２１】固定装置固定後斜視図
【図２２】固定装置操作部斜視図
【図２３】ハンドル左側傾斜・横移動装置操作部
【図２４】車椅子利用者の乗車から降車までのフローチャート
【手続補正２２】
【補正対象書類名】明細書
【補正対象項目名】００３０
【補正方法】変更
【補正の内容】
【００３０】
１前部フレーム部
２後部フレーム部
３自走式車椅子
４横移動装置
５車椅子固定装置
６傾斜用動力装置
７連結装置
８操舵装置
９固定用レバー装置
１０転倒保護ローラー
１１原動機及び駆動装置
１２バッテリー
１３燃料タンク
１４電源スイッチサブキー
１５後部傾斜スイッチ（正逆切り替えタイプ）
１６後部横移動スイッチ（正逆切り替えタイプ）
１７ＤＣモーター付ラック＆ピニオンギヤーＢＯＸ
１８ラックギヤー
１９スライドロッド
２０ロッド側ボールジョイント
２１ジョイントプレート
２２前部フレーム側ボールジョイント
２３車椅子利用者
２４スライドプレート
２５スライドテーブル
２６ウォームギヤー減速機付ＤＣモーター
２７横移動用ピニオンギヤー
２８横移動用ラックギヤー
２９移動用接地ローラー
３０走行時移動防止装置
３１アンダーフレーム
３２走行時移動防止装置用ワイヤー
３３固定装置操作ワイヤー
３４固定用油圧ホース
３５横移動駆動シャフト
３６横移動ガイド
３７横移動ガイドローラー
３８スライドテーブル・スライドプレートジョイント
３９プレート側移動防止装置
４０車椅子下部フレーム
４１ワイヤーロック用ホール
４２固定ディスク取り付けホルダー
４３車椅子側固定ディスク
４４ガイドディスク
４５ロック解除ワイヤー部
４６ワイヤー式ロック装置
４７ワイヤー式ロック装置爪部
４８油圧キャリパー
４９ガイドプレート
５０油圧シリンダーオイルタンク
５１油圧シリンダー
５２ロック式油圧レバー
５３固定装置ワイヤーロックレバー
５４走行時移動防止装置レバー
５５傾斜スイッチ（正逆切り替えタイプ）
５６横移動スイッチ（正逆切り替えタイプ）
５７ステアリングハンドル
５８左側グリップ
【手続補正２３】
【補正対象書類名】図面
【補正対象項目名】図２
【補正方法】変更
【補正の内容】
【図２】
2006158487.tif 000027
【手続補正２４】
【補正対象書類名】図面
【補正対象項目名】図３
【補正方法】変更
【補正の内容】
【図３】
2006158487.tif 000028
【手続補正２５】
【補正対象書類名】図面
【補正対象項目名】図４
【補正方法】変更
【補正の内容】
【図４】
2006158487.tif 000029
【手続補正２６】
【補正対象書類名】図面
【補正対象項目名】図５
【補正方法】変更
【補正の内容】
【図５】
2006158487.tif 000030
【手続補正２７】
【補正対象書類名】図面
【補正対象項目名】図６
【補正方法】変更
【補正の内容】
【図６】
2006158487.tif 000031
【手続補正２８】
【補正対象書類名】図面
【補正対象項目名】図７
【補正方法】変更
【補正の内容】
【図７】
2006158487.tif 000032
【手続補正２９】
【補正対象書類名】図面
【補正対象項目名】図８
【補正方法】変更
【補正の内容】
【図８】
2006158487.tif 000033
【手続補正３０】
【補正対象書類名】図面
【補正対象項目名】図９
【補正方法】変更
【補正の内容】
【図９】
2006158487.tif 000034
【手続補正３１】
【補正対象書類名】図面
【補正対象項目名】図１０
【補正方法】変更
【補正の内容】
【図１０】
2006158487.tif 000035
【手続補正３２】
【補正対象書類名】図面
【補正対象項目名】図１１
【補正方法】変更
【補正の内容】
【図１１】
2006158487.tif 000036
【手続補正３３】
【補正対象書類名】図面
【補正対象項目名】図１２
【補正方法】変更
【補正の内容】
【図１２】
2006158487.tif 000037
【手続補正３４】
【補正対象書類名】図面
【補正対象項目名】図１３
【補正方法】変更
【補正の内容】
【図１３】
2006158487.tif 000038
【手続補正３５】
【補正対象書類名】図面
【補正対象項目名】図１４
【補正方法】変更
【補正の内容】
【図１４】
2006158487.tif 000039
【手続補正３６】
【補正対象書類名】図面
【補正対象項目名】図１５
【補正方法】変更
【補正の内容】
【図１５】
2006158487.tif 000040
【手続補正３７】
【補正対象書類名】図面
【補正対象項目名】図１６
【補正方法】変更
【補正の内容】
【図１６】
2006158487.tif 000041
【手続補正３８】
【補正対象書類名】図面
【補正対象項目名】図１７
【補正方法】変更
【補正の内容】
【図１７】
2006158487.tif 000042
【手続補正３９】
【補正対象書類名】図面
【補正対象項目名】図１８
【補正方法】変更
【補正の内容】
【図１８】
2006158487.tif 000043
【手続補正４０】
【補正対象書類名】図面
【補正対象項目名】図１９
【補正方法】変更
【補正の内容】
【図１９】
2006158487.tif 000044
【手続補正４１】
【補正対象書類名】図面
【補正対象項目名】図２０
【補正方法】変更
【補正の内容】
【図２０】
2006158487.tif 000045
【手続補正４２】
【補正対象書類名】図面
【補正対象項目名】図２１
【補正方法】変更
【補正の内容】
【図２１】
2006158487.tif 000046
【手続補正４３】
【補正対象書類名】図面
【補正対象項目名】図２２
【補正方法】変更
【補正の内容】
【図２２】
2006158487.tif 000047
【手続補正４４】
【補正対象書類名】図面
【補正対象項目名】図２３
【補正方法】変更
【補正の内容】
【図２３】
2006158487.tif 000048
【手続補正４５】
【補正対象書類名】図面
【補正対象項目名】図２４
【補正方法】変更
【補正の内容】
【図２４】
2006158487.tif 000049
【手続補正書】
【提出日】平成17年8月4日(2005.8.4)
【手続補正１】
【補正対象書類名】特許請求の範囲
【補正対象項目名】請求項２
【補正方法】変更
【補正の内容】
【請求項２】
請求項1に記載された車椅子用自走式スクーター及びバイクにおいて、前部フレーム部の操舵装置後方に車椅子が乗車可能な長さと幅を有するスライドテーブルと、ウォームギヤー減速機付ＤＣモーターに接続された横移動用ピニオンギヤーを有するスライドプレートとを回動可能に接続し、前部フレーム部に固定された前後一対の横移動用ラックギヤー上を該モーターによりスライドプレート及びスライドテーブルが横移動する横移動装置を設置して、前記傾斜用動力装置により前部フレーム部を傾斜して、前記スライドテーブルの端に設けた移動用接地ローラーを接地させ、横移動装置によりスライドプレートを横移動させて、スライドテーブルを水平にして車椅子のまま乗車できることを特徴とする、車椅子用自走三輪スクーター及びバイク。
【手続補正２】
【補正対象書類名】図面
【補正対象項目名】図７
【補正方法】変更
【補正の内容】
【図７】
2006158487.tif 000050